(57)【要約】  【課題】車内側シールリップの先端から中央部までの部位の剛性を上げて当該部位での車内側シールリップの変形を抑制し、車内側シールリップを略平板状のまま倒れるように変形させるガラスランを提供する。  【解決手段】ガラスラン１０の車内側シールリップ６０は、略平板状に形成され、その付根部６１内面に凹部が設けられ、その先端部６２下面から車内側側壁３０方向に延出するサブリップ６３が設けられ、サブリップ６３の先端は車内側シールリップ６０の先端部６２よりも長手方向において前方側に位置し、ドアガラス５との接触面側に摺動層６５が形成されている。摺動層６５の肉厚において、先端の角部の範囲Ｅの肉厚をＡ、角部の曲率端から中央部までの範囲Ｆの肉厚をＢ、中央部から付根部までの範囲Ｇの肉厚をＣとした場合に、Ｂ＞Ａ≧Ｃの関係が成立するように構成され、Ａを０．１ｍｍ以上に構成したことを特徴とするガラスラン。  【選択図】      図２
2006248255.tif 000002
【特許請求の範囲】
【請求項１】
自動車ドアのドアフレームの内周に取付けられ、ドアガラスの昇降を案内し、車外側側壁と、車内側側壁と、底壁とからなる断面略Ｕ字状の本体部を備え、上記車外側側壁と車内側側壁には、それぞれ上記断面略Ｕ字状の本体部の内側に向かって延出する車外側シールリップと車内側シールリップを設け、車外側シールリップと車内側シールリップにより上記ドアガラスの両側端部の車外側面及び車内側面をシールするガラスランにおいて、
上記車内側シールリップは略平板状に形成され、その付根部内面に凹部が設けられ、その先端部下面から上記車内側側壁方向に延出するサブリップが設けられ、該サブリップの先端は上記車内側シールリップの先端部よりも上記車内側シールリップの長手方向においてさらに先端側に位置し、上記車内側シールリップの上記ドアガラスとの接触面側に摺動層が形成されたガラスランであって、
上記摺動層の肉厚において、先端の角部の範囲Ｅの肉厚をＡ、角部の曲率端（Ｒエンド）から中央部までの範囲Ｆの肉厚をＢ、中央部から付根部までの範囲Ｇの肉厚をＣとした場合に、Ｂ＞Ａ≧Ｃの関係が成立するように構成されるとともに、Ａを０．１ｍｍ以上に構成したことを特徴とするガラスラン。
【請求項２】
上記ガラスランの本体部はオレフィン系の熱可塑性エラストマーで形成され、上記摺動層はオレフィン系の熱可塑性エラストマー又は熱可塑性樹脂で、上記本体部と同時押出成形によってその表面に一体に形成されていることを特徴とする請求項１に記載のガラスラン。
【請求項３】
上記車内側シールリップの先端の角部には、上記ドアガラス側へ膨出する膨出部が設けられていることを特徴とする請求項１に記載のガラスラン。
【請求項４】
上記サブリップは、その肉厚において最も厚い部分でも、上記摺動層を含めた車内側シールリップの肉厚の半分以下で略平板状又は先細り形状に形成されていることを特徴とする請求項１乃至請求項３に記載のガラスラン。
【発明の詳細な説明】
【技術分野】
【０００１】
本発明は、自動車ドアのドアフレームの内周に取付けられ、ドアガラスの昇降を案内する自動車用のガラスランに関するものであって、特に摺動層を有する車内側シールリップの構造に関するものである。
【背景技術】
【０００２】
図５に示すように、自動車ドア１のドアフレーム２の内周にドアガラス５の昇降を案内するガラスラン１１０が取付けられている。その従来の断面構造を図６に示す。図６は、図５のＸ−Ｘ線に沿った断面図である。
【０００３】
従来、ガラスラン１１０は、図５に示すようにドアフレーム２のチャンネル３内に取付けられて、ドアガラス５の昇降を案内するとともにドアガラス５とドアフレーム２との間をシールしている。ガラスラン１１０は、押出成形により成形された直線状の押出成形部分をドアフレーム２の形状に合わせて形成する型成形部分で接続している。
【０００４】
ガラスラン１１０は、車外側側壁１２０と、車内側側壁１３０と、底壁１４０からなる断面略Ｕ字状の本体部を有している。車内側側壁１３０の先端付近から車内側シールリップ１６０が上記断面略Ｕ字状の本体部の内側に向けて延出するように設けられている。また、車外側側壁１２０にもその先端付近から車外側シールリップ１５０が断面略Ｕ字状の内側に向けて延出するように設けられている。
【０００５】
なお、上記底壁１４０の横方向の外面またはその近傍からは、外側に向かって保持リップ１７０、１８０が突出されている。
【０００６】
そして、車外側側壁１２０、車内側側壁１３０と底壁１４０の本体部がチャンネル３内に挿入され、各壁の外面がチャンネル３の内面に当接されるとともに、上記保持リップ１７０、１８０によってガラスラン１１０がチャンネル３内に保持される。
【０００７】
ドアガラス５は、このガラスラン１１０の断面略Ｕ字状の本体部の内側を摺動するとともに、上記車外側シールリップ１５０と車内側シールリップ１６０によってその端部の両側面がシールされて保持されている。このため、両シールリップ１５０、１６０のドアガラス５との接触面側には、ドアガラス５との摺動を良好にするために摺動層１９０、２００が設けられている。
【０００８】
しかしながら、ドアガラス５は、自動車が高速走行する場合には車外側に吸い出されたり、車体の振動に伴って振動する場合がある。そのため、両シールリップ１５０、１６０は湾曲状に形成されて、このドアガラス５の移動に追従し易くしている。
【０００９】
しかし、この場合、各シールリップ１５０、１６０とドアガラス５との接触点が各シールリップ１５０、１６０の変形に伴って移動するため、各シールリップ１５０、１６０の表面にはどの位置が接触点になっても良好な摺動性が得られるように、全面にわたるほぼ均一肉厚の摺動層１９０、２００が設けられるのが一般的であった（例えば、特許文献１参照。）。
【００１０】
また、上記のようにドアガラス５が振動した場合、その振動を抑制するために、例えば、車内側シールリップ１６０の先端部の下面から略直角状にサブリップ１６５を突出させ、車内側側壁１３０に当接させることにより、車内側シールリップ１６０を保持するものがあり、さらに、この構成のものにおいて車内側側壁１３０からの反力を低減するように工夫したものもある（例えば、特許文献２参照。）。
【００１１】
さらにまた、ドアガラス５との接触面積を減らすために、摺動材（１９０、２００）を断面略三角形等の複数本の線条にシールリップの表面に形成したものもあった（例えば、特許文献３参照。）。
【特許文献１】特開平１０−１９３９８５号公報
【特許文献２】特開２００２−６７７００号公報
【特許文献３】特開昭５８−８９４１５号公報
【発明の開示】
【発明が解決しようとする課題】
【００１２】
しかしながら、上記のガラスランでは、シールリップが湾曲状に形成されているため、ドアガラスが振動した場合に、シールリップが扁平状に変形されるか、湾曲状のまま側壁側に倒されるように変形させられるかの２通りの変形の態様がある。前者の変形ではドアガラスとの接触面積が増え、摺動抵抗が増加するという不具合があり、後者の変形ではドアガラスとの接触位置が変化（移動）するため、接触面積は増加しないが、摺動材を広範囲に設けなければならず、また、摺動材を線条としても複数本形成しなければならないという不具合がある。
【００１３】
そのため、車内側シールリップを略平板状に形成し、先端部の角部のみをドアガラスに接触させ、ドアガラスが振動した場合に、車内側シールリップが略平板状のまま車内側側壁方向に倒されるように変形させて、上記の不具合を解消するガラスランが考えられる。
【００１４】
しかし、このように構成すると、車内側シールリップはその付根部がヒンジとなり、ヒンジの剛性（弾性）だけで上記のドアガラスの振動に伴う車内側シールリップの振動を吸収しなければならなくなるので、耐久性等の問題から従来のように車内側シールリップの先端部に、更にサブリップを設ける必要性が生じる。
【００１５】
しかしながら、このサブリップを設けた構成のものでは、サブリップの先端が車内側側壁と当接した時に、車内側側壁からの反力により、車内側シールリップが先端から中央部にかける部位で、先端部だけを回転させるように変形させようとする力が作用する。そして、一旦その部位で変形が生じ、癖付けされてしまうと車内側シールリップが本来の機能を果さなくなる恐れがある。
【００１６】
本発明は上記問題点を解決するためになされたものであって、その目的は、車内側シールリップの先端から中央部にかける部位での剛性を上げて当該部位での車内側シールリップの変形を抑制し、車内側シールリップを略平板状のまま倒れるように変形させることのできるガラスランを提供することにある。
【課題を解決するための手段】
【００１７】
以下、上記目的等を解決するのに適した各手段につき項分けして説明する。なお、必要に応じて対応する手段に特有の作用効果等を付記する。
【００１８】
手段１．自動車ドアのドアフレームの内周に取付けられ、ドアガラスの昇降を案内し、車外側側壁と、車内側側壁と、底壁とからなる断面略Ｕ字状の本体部を備え、上記車外側側壁と車内側側壁には、それぞれ上記断面略Ｕ字状の本体部の内側に向かって延出する車外側シールリップと車内側シールリップを設け、該車外側シールリップと車内側シールリップにより上記ドアガラスの両側端部の車外側面及び車内側面をシールするガラスランにおいて、上記車内側シールリップは略平板状に形成され、その付根部内面に凹部が設けられ、その先端部下面から上記車内側側壁方向に延出するサブリップが設けられ、該サブリップの先端は上記車内側シールリップの先端部よりも上記車内側シールリップの長手方向においてさらに先端側に位置し、上記車内側シールリップの上記ドアガラスとの接触面側に摺動層が形成されたガラスランであって、上記摺動層の肉厚において、先端の角部の範囲Ｅの肉厚をＡ、角部の曲率端（Ｒエンド）から中央部までの範囲Ｆの肉厚をＢ、中央部から付根部までの範囲Ｇの肉厚をＣとした場合に、Ｂ＞Ａ≧Ｃの関係が成立するように構成されるとともに、Ａを０．１ｍｍ以上に構成したことを特徴とするガラスラン。 
【００１９】
上記手段１によれば、車内側シールリップの摺動層の肉厚において、先端の角部の範囲Ｅの肉厚をＡ、角部の曲率端（Ｒエンド）から中央部までの範囲Ｆの肉厚をＢ、中央部から付根部までの範囲Ｇの肉厚をＣとした場合に、Ｂ＞Ａ≧Ｃの関係が成立するように構成されるとともに、Ａを０．１ｍｍ以上に構成したため、車内側シールリップの先端から中央部にかける部位での剛性を高めることができ、当該部位での車内側シールリップの変形を防止することができる。
【００２０】
また、上記手段１では、車内側シールリップは略平板状に形成され、その付根部内面に凹部が設けられているので、ドアガラスの振動時に、車内側シールリップは略平板状のまま倒れるように車内側側壁側に移動する。そのため、ドアガラスとの接触位置は、先端の角部のみとなり、ドアガラスとの摺動が安定する。
【００２１】
さらに、上記車内側シールリップの先端部下面から上記車内側側壁方向に延出するサブリップが設けられ、サブリップの先端は上記車内側シールリップの先端部よりも上記車内側シールリップの長手方向においてさらに先端側に位置するように設けられているので、サブリップの車内側側壁との当接によってドアガラス振動時における過度の車内側シールリップの倒れ変形を抑制することができるとともに、サブリップによってドアガラスが正規位置に押し戻され、車内側シールリップの付根部のヒンジの補助を行っている。
【００２２】
なお、サブリップの先端の車内側側壁との当接位置と、ドアガラスと車内側シールリップの先端部の角部との当接位置とでは、ドアガラスによる車内側シールリップの押圧方向においてオフセットされているので、サブリップは車内側側壁との当接の当初の段階で車内側側壁上を滑るように移動するとともに、サブリップ自身がその先端方向に延びるように変形する。このため、車内側側壁からの反力は低減される。
【００２３】
しかしながら、ドアガラスが大きく振動した場合には、サブリップ自身が変形しきれなくなり、上記のように当接位置のオフセットにより、車内側シールリップの先端から中央部にかける部位に曲げモーメントが発生し、当該部位で車内側シールリップを変形させようとする。
【００２４】
しかし、上記のように、この手段１の構成では、車内側シールリップの先端から中央部にかける部位での剛性を高めることができ、当該部位での車内側シールリップの変形を防止することができる。
【００２５】
手段２．上記ガラスランの本体部はオレフィン系の熱可塑性エラストマーで形成され、上記摺動層はオレフィン系の熱可塑性エラストマー又は熱可塑性樹脂で、上記本体部と同時押出成形によってその表面に一体に形成されていることを特徴とする手段１に記載のガラスラン。
【００２６】
上記手段２によれば、上記ガラスランの本体部と上記摺動層は、同様のオレフィン系の熱可塑性エラストマー又は熱可塑性樹脂で成形され、上記摺動層は上記本体部と同時押出成形によってその表面に一体に形成されているので、両者が剥離することなく強固に積層させることができ、しかも摺動層の厚みを部分的に変える構成にしても容易に製造することができる。
【００２７】
なお、上記摺動層のオレフィン系の熱可塑性エラストマー又は熱可塑性樹脂材料は、比較的硬質のため、弾性変形領域が少なく、一旦過度に変形して癖付けされてしまうと形状が変わってしまうため、車内側シールリップの本来の機能を果さなくなる恐れがあるので、本件のように、部分的に過度に変形しないように構成することが望ましい。
【００２８】
手段３．上記車内側シールリップの先端の角部には、上記ドアガラス側へ膨出する膨出部が設けられていることを特徴とする手段１に記載のガラスラン。
【００２９】
上記手段３によれば、上記手段１と同様の作用効果が奏されるとともに、車内側シールリップの先端の角部に設けられたドアガラス側へ膨出する膨出部によって、車内側シールリップが車内側側壁に向かってどのように倒れ変形しても、ドアガラスとの摺動位置がこの膨出部の曲率（Ｒ）の範囲内となり、ドアガラスとの摺動を安定させることができる。
【００３０】
手段４．上記サブリップは、その肉厚において最も厚い部分でも、上記摺動層を含めた車内側シールリップの肉厚の半分以下で略平板状又は先細り形状に形成されていることを特徴とする手段１乃至手段３に記載のガラスラン。
【００３１】
上記手段４によれば、サブリップは、その肉厚において最も厚い部分でも、上記摺動層を含めた車内側シールリップの肉厚の半分以下で略平板状又は先細り形状に形成されているので、サブリップの車内側側壁との当接によってドアガラス振動時における過度の車内側シールリップの倒れ変形を抑制することができるとともに、サブリップの変形を容易にすることができる。なお、サブリップは、ドアガラスを正規位置に押し戻し、車内側シールリップの付根部のヒンジの補助作用もなしている。
【００３２】
また、上記したようにサブリップの先端の車内側側壁との当接位置と、ドアガラスと車内側シールリップの先端部の角部との当接位置とでは、ドアガラスによる車内側シールリップの押圧方向においてオフセットされているので、サブリップの肉厚の薄さによる剛性の低下と相俟って、サブリップは車内側側壁との当接の当初の段階で車内側側壁上を滑るように移動するとともに、上記車内側シールリップの長手方向において前方側に位置するように先端方向に延びるように変形する。このため、車内側側壁からの反力は低減される。
【発明の効果】
【００３３】
本発明は、上記のように構成したので、ガラスランの車内側シールリップの先端から中央部にかける部位での剛性を上げることができ、当該部位での車内側シールリップの変形を抑制し、車内側シールリップを略平板状のまま倒れるように変形させることができるガラスランを得ることができる。
【００３４】
また、ドアガラスの振動によって車内側シールリップの先端部のサブリップの先端が車内側側壁に当接したときに、車内側側壁からの反力を下げるとともに、車内側シールリップが部分的に過度に変形しないようにでき、さらに、車内側シールリップとドアガラスとの間の摺動抵抗を下げてドアガラスの昇降をスムースにすることができる。
【発明を実施するための最良の形態】
【００３５】
本発明の実施の形態を図１〜図５に基づき説明する。
【００３６】
図５は自動車ドアの側面図である。図５に示すように自動車のドア１の上部にはドアフレーム２が設けられ、ドアガラス５が昇降自在に取付けられる。すなわち、ドアフレーム２の内周には、チャンネル３が設けられ、チャンネル３にはガラスラン１０が取付けられ、ドアガラス５の昇降を案内するとともに、ドアガラス５とドアフレーム２との間をシールしている。
【００３７】
ガラスラン１０は、全体として押出成形で形成された略直線状の押出成形部分１１と、型成形で形成されて押出成形部分１１を接続する型成形部分１２とからなる。
【００３８】
押出成形部分１１は、ドアフレーム２の上辺部に取付けられる部分１１ｂと、ドアフレーム２のリヤ側縦辺部に取付けられる部分１１ｃと、ドアフレーム２のフロント側縦辺部に取付けられる部分１１ａとからなる。
【００３９】
型成形部分１２はこれらの押出成形部分１１をドアフレーム２に対応した形状となるように成形して接続しており、ドアフレーム２のコーナー部に装着される部分となる。
【００４０】
ドアフレーム２のリヤ縦辺部に取付けられる押出成形部１１の部分１１ｃの断面形状は、図１に示すように、車外側側壁２０と、車内側側壁３０と、底壁４０とから断面略Ｕ字状に形成されている。図１は、図５のＸ−Ｘ線に沿った部分の断面図である。同様に、ドアフレーム２の上辺部に取付けられる押出成形部１１の部分１１ｂの断面形状を図４に示す。なお、図４は、図５のＹ−Ｙ線に沿った部分の断面図である。
【００４１】
ガラスラン１０の本体部は、ドアフレーム２の縦辺部に取付けられる部分も上辺部に取付けられる部分も基本的にはほぼ同様な断面形状を有しており、底壁４０において上辺部に取付けられる部分には底壁リップ４１を有し、縦辺部に取付けられる部分には底壁条溝４２を有する点が異なるだけである。
【００４２】
車内側側壁３０の先端からは、略平板状の車内側シールリップ６０が上記断面略Ｕ字状の本体部の内側に向けて延設されており、車内側カバー突起３１が車内側側壁３０の先端で車内方向に延設されている。
【００４３】
また、車外側側壁２０の先端付近からは、車外側シールリップ５０が上記断面略Ｕ字状の本体部の内側に向けて延設されている。また、車外側カバー突起２４が車外側側壁２０の先端で車外方向に延設されている。
【００４４】
車内側側壁３０は、断面略板状をなし、車内側側壁３０の先端には、その外方に向かって車内側カバー突起３１が設けられ、車内側側壁３０の外面と車内側カバー突起３１の下面にチャンネル３の車内側側壁が当接されている。また、車外側側壁２０の外面と車外側カバー突起２４の裏面にチャンネル３の車外側側壁が当接され、車内側側壁３０の外面と車内側カバー突起３１の裏面にチャンネル３の車内側側壁が当接されて、これらの構造でチャンネル３の先端をカバーするとともにガラスラン１０を保持している。
【００４５】
車内側側壁３０の先端内面には、車内側シールリップ６０が一体的に設けられている。車内側シールリップ６０は断面略平板状であり、車内側側壁３０との連続部分である付根部６１は内面に凹部が設けられて、車内側シールリップ６０が車内側側壁３０方向に略平板状のまま倒れるように変形できるようになっている。
【００４６】
また、車内側シールリップ６０のドアガラス５との接触面側に摺動層６５が形成されている。図２に示すように、この摺動層６５の肉厚においては、先端の角部の範囲Ｅの肉厚をＡ、角部の曲率端（Ｒエンド）から中央部までの範囲Ｆの肉厚をＢ、中央部から付根部までの範囲Ｇの肉厚をＣ、とした場合に、Ｂ＞Ａ≧Ｃの関係が成立するように構成されるとともに、Ａを０．１ｍｍ以上に構成した。
【００４７】
さらに具体的には、車内側シールリップ６０の肉厚を１．０〜１．５ｍｍとした場合において、上記の摺動層６５の肉厚は、先端の角部の範囲Ｅの肉厚Ａを０．１〜０．３ｍｍ、角部の曲率端（Ｒエンド）から中央部までの範囲Ｆの肉厚：Ｂを０．２〜０．５ｍｍ、中央部から付根部までの範囲Ｇの肉厚：Ｃを０．０５〜０．２ｍｍで構成したものである。
【００４８】
車内側シールリップ６０の先端部６２の下面からはサブリップ６３が車内側側壁３０方向に延出するように設けられている。すなわち、サブリップ６３は、車内側シールリップ６０の先端部６２の下面から、車内側側壁３０方向に延出し、その先端は車内側シールリップ６０の先端部６２よりも、車内側シールリップ６０の長手方向においてさらに先端側に位置するように延出されている。
【００４９】
ガラスラン１０がチャンネル３に装着され、ドアガラス５の昇降時等にドアガラス５によって車内側シールリップ６０が車内側側壁３０方向に押される時、車内側シールリップ６０は、その付根部６１を中心に略平板状のまま倒れるように回転する。そして、このサブリップ６３の先端は車内側側壁３０に当接する。この時、過度の車内側シールリップ６０の倒れ変形を抑制することができるとともに、サブリップ６３によってドアガラス５が正規位置に押し戻される方向に力が作用する。従って、サブリップ６３は車内側シールリップ６０の付根部６１のヒンジの補助を行っている。
【００５０】
なお、サブリップ６３の肉厚は、最も肉厚の部分でも摺動層６５を含めた車内側シールリップ６０の肉厚の半分以下で形成されている。
【００５１】
そのため、ドアガラス５の振動時に、車内側シールリップ６０は略平板状のまま倒れるように車内側側壁３０方向に回転（移動）するとともに、摺動層６５とドアガラス５の接触位置は、車内側シールリップ６０の先端部６２の角部のみとなり、ドアガラス５との摺動が安定する。
【００５２】
また、サブリップ６３先端の車内側側壁３０との当接位置と、ドアガラス５と車内側シールリップ６０の先端部６２の角部との当接位置とでは、ドアガラス５による車内側シールリップ６０の押圧方向においてオフセットされているので、サブリップ６３は車内側側壁３０との当接の初期の段階で車内側側壁３０上を滑るように移動するとともに、サブリップ６３自身が前方側に延びるように変形する。このため、車内側側壁３０からの反力は低減される。
【００５３】
さらに、ドアガラス５が大きく振動した場合には、サブリップ６３自身が変形しきれなくなり、上記のように当接位置のオフセットにより、車内側シールリップ６０の先端部６２から中央部にかけての部位に曲げモーメントが発生し、当該部位で車内側シールリップ６０を変形させようとするが、上記のようにこの部分での摺動層６５の肉厚を厚く構成し、剛性を上げたので、当該部位での変形を防止することができる。
【００５４】
なお、上記ガラスラン１０の本体部はオレフィン系の熱可塑性エラストマーで形成され、上記摺動層６５はオレフィン系の熱可塑性エラストマー又は熱可塑性樹脂で、上記本体部と同時押出成形によってその表面に一体に形成されている。
【００５５】
そのため、両者が剥離することなく強固に積層される。しかも、摺動層６５の厚みを部分的に変える本実施の形態の構成のガラスラン１０を容易に製造することができる。
【００５６】
また、上記摺動層６５のオレフィン系の熱可塑性エラストマー又は熱可塑性樹脂材料は、比較的硬質のため、弾性変形領域が少なく、一旦過度に変形して癖付けされてしまうと形状が変わってしまうため、シールリップの本来の機能を果さなくなる恐れがあるが、本実施の形態の構成のガラスラン１０のように、車内側シールリップ６０が部分的に過度に変形しないように構成するで、車内側シールリップ６０の本来の機能を果すことができる。
【００５７】
なお、車外側シールリップ５０は、車内側シールリップ６０よりもリップの断面の長さが短く、肉厚も比較的に薄い。このため、車外側シールリップ５０は略平板状に形成されておらず、ドアガラス５に向けて凸状に湾曲して形成されている。そして、弾性的に容易に撓むことができ、ドアガラス５と線接触的に当接することができるため、ドアガラス５の昇降時におけるドアガラス５との摺動抵抗を下げ、ドアガラス５の昇降をスムースにすることができる。
【００５８】
さらに、ガラスラン１０の本体部の内部でドアガラス５をドアフレーム２の車外側に近づけることができ、ドアガラス５とドアフレーム２との車外側面の段差を少なくして、空気抵抗を減少させるとともに車体の表面が平滑になり外観上好ましい。
【００５９】
また、車外側シールリップ５０の車外側側壁２０との連続部分はシールリップの付根部５１であり、また、少なくともドアフレーム２の縦辺部に取付けられる部位においては、車外側シールリップ５０の先端には断面略半円状に突出した先端部５２が形成されている。
【００６０】
さらに、ドアガラス５の振動時において車外側シールリップ５０が押されて、その先端部５２が車外側側壁２０の内面に当接する時に、この当接する部分の車外側側壁２０の内面には、底壁側側壁凹部２３が設けられている。この底壁側側壁凹部２３は、車外側シールリップ５０の先端部５２の断面略半円形の円弧状に対応した略同一の断面形状をなして長手方向に連続して形成されている。
【００６１】
なお、本実施の態様においては、車外側側壁２０の内面に条溝２１を設けたが、車外側側壁２０と車外側シールリップ５０の貼り付き力が弱い場合には、条溝２１を設けずに、先端側側壁凹部２５のみを設けることも可能である。
【００６２】
また、車外側側壁２０及び車内側側壁３０と底壁４０との連結部分には、それぞれ車外側溝部４３と車内側溝部４４が設けられている。この車外側溝部４３と車内側溝部４４により、車外側側壁２０と車内側側壁３０が底壁４０に対して柔軟に折れ曲がることができ、ドアフレーム２のチャンネル３にガラスラン１０を容易に嵌め込むことができる。
【００６３】
図４に示すようにドアフレーム２の上辺部に取付けられるガラスラン１０には、その底壁４０に底壁リップ４１が設けられている。この底壁リップ４１により、ドアガラス５が上昇してガラスラン１０の底壁４０に当接するときにクッション作用をすることができ、ドアガラス５が上昇してガラスラン１０の底壁４０に達したときに急激な突き当たりを防止することができる。
【００６４】
また、底壁リップ４１の表面には低摺動部材を設けることができ、ドアガラス５との摺動抵抗を減少させることができる。
【００６５】
なお、ドアフレーム２の上辺部に取付けられるガラスラン１０においては、ドアガラス５が若干車内側に振られて上昇された場合においても、ドアガラス５の上端縁が最初に当接する車内側シールリップ６０の摺動層６５の部分が、厚肉に形成されているので、摺動層６５の耐久性を向上させることもできる。
【００６６】
また、ドアフレーム２の縦辺部に取付けられるガラスラン１０には、図１に示すように、上記の底壁リップ４１は設けられていない。その替わりに底壁４０の内面に長手方向に複数の底壁条溝４２を設けて摺動抵抗を減らしたり、底壁４０の内面に低摺動部材を設けている。
【００６７】
低摺動部材は、ドアガラス５との摩擦抵抗の低いものであれば使用することができるが、例えば、ＴＰＯシート、ポリエチレンシート、シリコンコート、ウレタンコート等を使用することができる。なお、低摺動部材は、シールリップの場合と同様にＴＰＯシートの同時押出成形による一体成形したものが好ましい。
【００６８】
次に本発明のガラスラン１０の製造方法について説明する。
【００６９】
ガラスラン１０は、まず押出成形部分１１を成形する。押出成形は軟質のソリッド材を使用して成形する。
【００７０】
押出成形時のガラスラン１０の断面形状は、略Ｕ字状の開口部分である先端部が少し開いた形状で押出成形される。これによって、チャンネル３への装着時に、チャンネル３の側壁への押圧力が得られる。また、車外側側壁２０、車内側側壁３０、底壁４０、車外側シールリップ５０と車内側シールリップ６０へ低摺動部材を形成する場合にはその成形がし易くなる。
【００７１】
成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。
【００７２】
合成ゴムの場合は、押出成形後に加硫槽に搬送されて、熱風や高周波等により加熱されて加硫が行われる。熱可塑性エラストマー、軟質合成樹脂の場合は、冷却され固化される。その後所定の長さに切断されて、押出成形部分は製造される。
【００７３】
次に、型成形部分１２の成形は、上記により製造された押出成形部分１１の端部を型成形部分１２を成形する金型に挟持して、その金型のキャビティーに型成形部分１２を形成するソリッド材を注入する。
【００７４】
型成形部分１２の断面形状は押出成形部分１１の断面形状と略同じである。成形材料は、押出成形部分１１に使用した材料と同じ種類のものを使用することが好ましい。合成ゴムの場合は、金型に注入した後に金型を加熱して加硫する。
【００７５】
このとき、押出成形部分１１と型成形部分１２は同じ材料あるいは同種類の材料を使用して加硫接着をすることができるため、一体的に固着する。熱可塑性エラストマー、軟質合成樹脂の場合は、金型に注入されたときに注入材料は溶融されているため、その熱と圧力とで押出成形部分１１と型成形部分１２は一体的に融着される。
【００７６】
上記の実施の形態では、車内側シールリップ６０の先端部６２の角部は、Ｒの付いた角部であるが、図３に示すように、この角部に少なくとも、ドアガラス５側へ膨出する膨出部６７を設けても良い。
【００７７】
この車内側シールリップ６０の先端部６２の角部に設けられたドアガラス５側へ膨出する膨出部６７によって、車内側シールリップ６０が車内側側壁３０に向かってどのように倒れ変形してもドアガラス５との摺動位置がこの膨出部６７の曲率（Ｒ）の範囲内となり、ドアガラス５との摺動を安定させることができる。
【００７８】
尚、上記実施の形態の記載内容に限定されず、例えば次のように実施してもよい。勿論、以下において例示しない他の応用例、変更例も当然可能である。
【００７９】
（ａ）上記実施形態では、フロントドアに対応するガラスラン１０について具体化しているが、リヤドア、スライドドア等の他のドアに設けられるガラスランについて適用することも可能である。
【００８０】
（ｂ）上記の摺動層の構成を車外側シールリップ５０にも適用させても良い。
【００８１】
（ｃ）上記実施形態では、サブリップ６３の形状を略平板状にしたものを示したが、サブリップは、その肉厚が最大の部位でも車内側シールリップの肉厚の半分以下であれば、先細り形状でも良く、また、湾曲形状でも良い。勿論、このサブリップにはその可撓性を確保するために摺動層は形成されないが、その先端が当接する車内側側壁には、サブリップの滑りを良くするために摺動層を設けても良い。
【図面の簡単な説明】
【００８２】
【図１】本発明の実施の形態であるガラスランのドアフレームのリヤ縦辺部に取付けられる部分のドアフレーム取付け後の状態の断面図である。
【図２】本発明の実施の形態であるガラスランの車内側シールリップの一部拡大断面図である。
【図３】本発明の他の実施の形態であるガラスランの車内側シールリップの一部拡大断面図である。
【図４】本発明の実施の形態であるガラスランのドアフレーム上辺部に取付けられる部分のドアフレーム取付け前の状態の断面図である。
【図５】自動車ドアの側面図である。
【図６】従来のガラスランの断面図である。
【符号の説明】
【００８３】
１  ドア
２  ドアフレーム
５  ドアガラス
１０  ガラスラン
２０  車外側側壁
３０  車内側側壁
４０  底壁
５０  車外側シールリップ
６０  車内側シールリップ
６１  付根部
６２  先端部
６３  サブリップ
６５  摺動層
Ａ、Ｂ、Ｃ  摺動層の肉厚
【図１】
2006248255.tif 000003
【図２】
2006248255.tif 000004
【図３】
2006248255.tif 000005
【図４】
2006248255.tif 000006
【図５】
2006248255.tif 000007
【図６】
2006248255.tif 000008